(57)【特許請求の範囲】
【請求項１】
内容液の注出が可能な注出容器の上部に取り付けられる装着部と、上端部が該装着部に揺動可能に取り付けられる本体部とを備え、
前記本体部の下部には、弾性変形可能であって、前記注出容器の下部に取り付けられる一方該本体部を該注出容器から離れる向きに揺動させることで該注出容器から脱する第二フックと、下方に向けて突出する向きで半円状に湾曲し、該第二フックが該注出容器の下部に取り付けられた状態で該注出容器を倒立姿勢で吊り下げ保持する第一フックとを有する注出容器用保持部材。
【請求項２】
前記第一フックを、前記本体部に一体に連結してなる請求項１に記載の注出容器用保持部材。
【請求項３】
前記第一フックと前記本体部とを、球面軸受で連結してなる請求項１に記載の注出容器用保持部材。
【請求項４】
前記第一フックは、前記本体部に設けた少なくとも１つの被連結部に対して着脱可能に取り付けられる連結部を有する請求項１に記載の注出容器用保持部材。
【請求項５】
請求項１〜４のいずれか一項に記載の注出容器用保持部材と前記注出容器とを備える注出容器組立体であって、
前記注出容器は、内容液を収容する容器本体と該容器本体の内容液を外界に向けて注出するノズルとを備える注出容器組立体。
【請求項６】
前記ノズルは、前記容器本体の中心軸線に沿って延在した後、該中心軸線から離れるにつれて上方に向けて傾斜するものであって、該中心軸線を中心として該容器本体に回動可能に保持される請求項５に記載の注出容器組立体。
【請求項７】
前記ノズルの先端に、内容液の上流側から下流側に向かって広がる拡径部を備える請求項５又は６に記載の注出容器組立体。
【発明の詳細な説明】
【技術分野】
【０００１】
本発明は、内容液の注出が可能な注出容器に装着して、注出容器を様々な場所に取り付けることができる注出容器用保持部材、及びこの注出容器用保持部材と注出容器を備える注出容器組立体に関する。
【背景技術】
【０００２】
従来、例えばトリガーを牽曳することによって内容液を注出させることができる注出容器が知られている。このような注出容器にあっては、内容液として除菌用の薬剤を収容してトイレ内に設置し、洋式便器の弁座の除菌クリーニングを行うべく、トイレットペーパーなどに注出した内容液を染みこませるように構成したものが知られている（例えば特許文献１参照）。
【先行技術文献】
【特許文献】
【０００３】
【特許文献１】特開平９−１１７３８９号公報
【発明の概要】
【発明が解決しようとする課題】
【０００４】
ところで特許文献１の注出容器は、同文献の図２に示すように、後板１３に設けた取り付け穴１６を利用して、ねじ等を用いることで壁に固定して使用するものである。しかしながらこのような従来の注出容器は、壁にねじを打つことが困難であったり、壁に十分な取り付けスペースが確保できなかったりするため、汎用性に乏しいという問題を抱えていた。
【０００５】
本発明は、このような問題点を解決することを課題とするものであり、注出容器を様々な場所に取り付けることができる注出容器用保持部材、及びこの注出容器用保持部材と注出容器を備える注出容器組立体を提供することを目的とする。
【課題を解決するための手段】
【０００６】
本発明は、内容液の注出が可能な注出容器の上部に取り付けられる装着部と、上端部が該装着部に揺動可能に取り付けられる本体部とを備え、
前記本体部の下部には、弾性変形可能であって、前記注出容器の下部に取り付けられる一方該本体部を該注出容器から離れる向きに揺動させることで該注出容器から脱する第二フックと、下方に向けて突出する向きで半円状に湾曲し、該第二フックが該注出容器の下部に取り付けられた状態で該注出容器を倒立姿勢で吊り下げ保持する第一フックとを有する注出容器用保持部材である。
【０００７】
前記第一フックを、前記本体部に一体に連結することが好ましい。
【０００８】
前記第一フックと前記本体部とを、球面軸受で連結することが好ましい。
【０００９】
前記第一フックは、前記本体部に設けた少なくとも１つの被連結部に対して着脱可能に取り付けられる連結部を有することが好ましい。
【００１０】
また本発明は、このような注出容器用保持部材と注出容器とを備える注出容器組立体であって、
前記注出容器は、内容液を収容する容器本体と該容器本体の内容液を外界に向けて注出するノズルとを備える注出容器組立体である。
【００１１】
前記ノズルは、前記容器本体の中心軸線に沿って延在した後、該中心軸線から離れるにつれて上方に向けて傾斜するものであって、該中心軸線を中心として該容器本体に回動可能に保持されることが好ましい。
【００１２】
前記ノズルの先端に、内容液の上流側から下流側に向かって広がる拡径部を備えることが好ましい。
【発明の効果】
【００１３】
本発明の注出容器用保持部材にあっては、トイレのドアノブやタオルハンガー、或いは洋式便器の横に設けた手摺りなどに第一フックを引っ掛けることによって、注出容器を吊下げた状態で取り付けることができる。また、弾性変形可能な第二フックによっても手摺りなどに取り付けることができる。なお第二フックは、これを用いない場合においては注出容器に保持することができるので、邪魔になることがない。
【００１４】
ここで、第一フックを本体部に一体に連結する場合には、部品点数を最小限に抑えることができる。
【００１５】
また、第一フックと本体部とを球面軸受で連結する場合には、第一フックの可動範囲が増えるため、注出容器をより自由な姿勢で取り付けることができる。
【００１６】
また、第一フックに、本体部に設けた少なくとも１つの被連結部に対して着脱可能に取り付けられる連結部を設ける場合は、被連結部の数に応じた任意の位置に第一フックを取り付けることができるので、取り付けの自由度を増すことができる。また第一フックを使用しない場合には、これを取り外すことによって、設置スペースが十分に確保できない場所でも使用することができる。
【００１７】
そして、このような注出容器用保持部材と注出容器とを備える注出容器組立体において、内容液を収容する容器本体に対して回動可能に保持されるノズルを設ける場合は、任意の向きにノズルを指向させることができるため、使い勝手がよくなる。
【００１８】
また、ノズルの先端に内容液の上流側から下流側に向かって広がる拡径部を備える場合は、内容液が勢いよく注出されることがあっても拡径部で飛び散りを防ぐことができる。
【図面の簡単な説明】
【００１９】
【図１】本発明に従う注出容器用保持部材の第一実施形態を示す、（ａ）は平面図であり、（ｂ）は正面図であり、（ｃ）は（ｂ）に示す矢印Ｘに沿う矢視図であり、（ｄ）は（ｂ）に示すＹ−Ｙに沿う断面図である。
【図２】図１に示す注出容器用保持部材と注出容器とを備える注出容器組立体の半断面図（一部側面図）である。
【図３】図２に示す注出容器組立体をドアノブに吊下げた状態を示す、（ａ）はドアノブに対する側方視図であり、（ｂ）はドアノブに対する正面視図である。
【図４】図２に示す注出容器組立体を手摺りに取り付けた状態を示す図である。
【図５】本発明に従う注出容器用保持部材の第二実施形態、及び第二実施形態の注出容器用保持部材と注出容器とを備える注出容器組立体を示す図であって、（ａ）は注出容器用保持部材の平面図であり、（ｂ）はその正面図である。また、（ｃ）は注出容器組立体の半断面図（一部側面図）であり、（ｄ）はその底面図である。
【図６】本発明に従う注出容器用保持部材の第三実施形態、及び第三実施形態の注出容器用保持部材と注出容器とを備える注出容器組立体を示す図であって、（ａ）は注出容器用保持部材の平面図であり、（ｂ）はその正面図である。また、（ｃ）は注出容器組立体の半断面図（一部側面図）である。
【図７】図２に示す注出容器に対して形状の異なるノズルを取り付けた実施形態を示す、注出容器組立体の半断面図（一部側面図）である。
【発明を実施するための形態】
【００２０】
以下、図面を参照して、本発明に従う注出容器用保持部材（以下、「保持部材」という）及び注出容器組立体の一実施形態について説明する。なお、本明細書における「上」、「下」の関係は、図２に示すように、注出容器が正立姿勢で載置される状態での位置関係（口部が位置する側が上方、底部が位置する側が下方）をいう。また「前」はトリガーの操作部が位置する側（図２の右側）であり、「後」はその反対側（図２の左側）である。また「左」、「右」の関係は、前方から後方に向かって視る際の位置関係をいう。
【００２１】
図１において、符号１は本発明に従う保持部材の第一実施形態を示す。保持部材１は、後述する注出容器に取り付けられる装着部２と、装着部２に揺動可能に取り付けられる本体部３とを備えている。
【００２２】
本実施形態の装着部２は、平面視でリング状をなすものである。また装着部２の外周面には、図１（ｄ）に示すように、径方向外側に向けて突出するとともに縦断面形状がＣ字状になる軸受け部（第一軸受け部）２ａを備えている。
【００２３】
本実施形態の本体部３は棒状であって、その上端部には、第一軸受け部２ａに適合する円柱状の軸部（第一軸部）３ａを備えている。これにより本体部３は、装着部２に対して１８０度の範囲で揺動することができる。
【００２４】
また本体部３の下端部には、図１（ｄ）に示すように、本体部３に一体に連結するとともに半円状に湾曲した形状をなす第一フック４が設けられている。
【００２５】
更に本体部３の下端部には、第一フック４とは背中合わせに設けられ、図１（ｃ）に示すように矢印Ｘに沿って視る際の形状がＣ字状になる第二フック５を備えている。ここで第二フック５は、径方向外側に広がるように弾性変形することができる。
【００２６】
このような構成になる保持部材１は、図２に示す注出容器１０に取り付けることができる。ここで注出容器１０は、内容液を収容する容器本体１１と、容器本体１１の内容液を吸引して圧送するポンプ機構１２と、ポンプ機構１２を容器本体１１に保持する装着キャップ１３と、装着キャップ１３に揺動可能に取り付けられ、牽曳を繰り返してポンプ機構１２を駆動させるトリガー１４と、ポンプ機構１２に取り付けられて内容液を外界に向けて注出するノズル１５とを備えている。なお、保持部材１を注出容器１０に取り付けたものを注出容器組立体Ａと称する。
【００２７】
容器本体１１は、円筒状をなすとともに外周面に雄ねじを有する口部１１ａと、口部１１ａに連結するとともに径方向外側に向けて拡径する肩部１１ｂと、上端部が肩部１１ｂに連結するとともに口部１１ａよりも大径になる円筒状の胴部１１ｃと、胴部１１ｃの下端部に連結する円板状の底部１１ｄとを有していて、その内側には内容液の収容空間Ｍを備えている。
【００２８】
ポンプ機構１２は、口部１１ａ側に向けて延在するパイプＰ１及び底部１１ｄ側に向けて延在するパイプＰ２を有するとともに、容器本体１１が正立姿勢であっても倒立姿勢であっても内容液を吸引することができる正倒立注出機構１２ａを有している。また、正倒立注出機構１２ａの下流側には、径方向外側に向けて延在するフランジ１２ｂを有するシリンダー１２ｃを備えている。シリンダー１２ｃの内側には、スプリング１２ｄによって上方へ付勢された第一ピストン１２ｅと第二ピストン１２ｆとが設けられている。更にポンプ機構１２は、スプリング１２ｄの付勢力に逆らって第一ピストン１２ｅ及び第二ピストン１２ｆを押し下げ可能なホルダー１２ｇと、ホルダー１２ｇに連結する管状のステム１２ｈとを備えている。またステム１２ｈの外周面には、左右方向に向けて突出する円柱状のピン１２ｊが設けられている。
【００２９】
装着キャップ１３は、内周面に雌ねじを有し、口部１１ａの上方に設けたパッキンＰとの間でフランジ１２ｂを挟み込んでポンプ機構１２を容器本体１１に吊り下げ保持する内側キャップ１３ａと、内側キャップ１３ａを回り止め保持するとともに内側キャップ１３ａを取り囲む外側キャップ１３ｂとを備えている。また、外側キャップ１３ｂの外周面には、前述した装着部２を回動可能に保持し、且つ装着部２の上方への抜け出しを阻止する段部１３ｃが設けられている。ここで装着部２は、段部１３ｃのまわりを３６０度回動することができる。更に外側キャップ１３ｂは、その上部後方において、軸受け部（第二軸受け部）１３ｄを備えている。
【００３０】
トリガー１４は、その前方において操作時に指をかける部位となる操作部１４ａを備えている。またトリガー１４の後方には、第二軸受け部１３ｄに嵌め合わされ、装着キャップ１３に対してトリガー１４を揺動可能に保持する軸部（第二軸部）１４ｂを備えている。更にトリガー１４は、ピン１２ｊに連係し、トリガー１４を牽曳することでステム１２ｈを押し下げてポンプ機構１２を駆動させる凹部１４ｃを備えている。またトリガー１４の上方には、ステム１２ｈを挿通させる穴１４ｄを備えている。
【００３１】
ノズル１５は、本実施形態ではステム１２ｈの中心軸線（容器本体１１の中心軸線）を中心として回動可能に（本実施形態では３６０度回動可能に）保持されている。またノズル１５の注出口１５ａには、内容液を霧状にして注出することができるスピンエレメント１５ｂを備えている。
【００３２】
このような構成になる注出容器組立体Ａは、図２に示すように、第二フック５を容器本体１１の胴部１１ｃに嵌め込むことで、本体部３を容器本体１１に対して保持することができる。これにより、本体部３が不用意に揺動することがなくなる。そして、図３に示すように第一フック４をドアノブＤに引っ掛ければ、注出容器１０を吊り下げ保持することができる。
【００３３】
一方、容器本体１１の胴部１１ｃから離れる向きに本体部３を引っ張れば、第二フック５が容器本体１１から脱することになる。そして、図４に示すように手摺りＨに第二フック５を嵌め込むことで、手摺りＨに対して注出容器１０を保持しておくことができる。
【００３４】
なおノズル１５は回動可能であるため、これを任意の向きに指向させることができる。このため、注出容器組立体Ａの設置方法にかかわらず、所望する方向へ内容液を注出させることができる。
【００３５】
次に、本発明に従う保持部材の第二実施形態、及びこの実施形態の保持部材と前述の注出容器とを備える注出容器組立体について、図５を参照しながら説明する。なお、本実施形態の注出容器は、前述のものと同一であるため、図面に同一の符号を付して詳細な説明は省略する。
【００３６】
本実施形態の保持部材２１は、前述の装着部２と同様に平面視でリング状をなす装着部２２を備えている。また装着部２２には、第一軸受け部２ａと同様に縦断面形状がＣ字状になる軸受け部（第一軸受け部）２２ａが設けられている。
【００３７】
装着部２２には、板状をなし、上端部に第一軸受け部２２ａに適合する円柱状の軸部（第一軸部）２３ａを備え、装着部２２に対して１８０度の範囲で揺動することができる本体部２３が取り付けられている。
【００３８】
また本体部２３の下端部には、円筒状をなし、その内側が凹球面になる軸受け部（第三軸受け部）２３ｂが設けられている。第三軸受け部２３ｂの上部及び下部には、円筒部分を切り欠いたスリット２３ｃ、２３ｄが設けられている。
【００３９】
また本体部２３の下端部には、半円状に湾曲した形状をなす第一フック２４が設けられている。第一フック２４の一端部には、第三軸受け部２３ｂに適合する凸球面を有し、第三軸受け部２３ｂとの間で球面軸受を構成する軸部（第三軸部）２４ａが設けられている。これにより第一フック２４は、本体部２３に対して上下、左右に自在に動くことができる。なお、第一フック２４はスリット２３ｃ、２３ｄに嵌まり込むものであり、図５（ａ）に示すように上方に指向した状態、又は図５（ｃ）に示すように下方に指向した状態で位置決めすることができる。
【００４０】
更に本体部２３の下端部には、前述の第二フック５と同様に、弾性変形可能であって平面視での形状がＣ字状になる第二フック２５が設けられている。
【００４１】
このような構成になる保持部材２１は、前述の保持部材１と同様に、装着部２２を装着キャップ１３の段部１３ｃに挿入して注出容器１０に取り付けることができる。そして、保持部材２１を注出容器１０に取り付けた注出容器組立体Ｂにあっても、先の注出容器組立体Ａと同様に、様々な場所に設置することができる。特に注出容器組立体Ｂは、第一フック２４の可動範囲が広いため、設置できる場所の自由度がより高くなるという利点がある。また図５（ｂ）に示すように、第一フック２４を上方に指向させれば、第一フック２４が容器本体１１の底部１１ｄよりも上方に位置することになるため、例えばトイレに設けた棚の上に置いて使用することができる。なお本実施形態では、第一フック２４を本体部２３から離れる向きに引っ張れば、第三軸部２４ａが第三軸受け部２３ｂから外れるように構成している。このため設置スペースが狭ければ、第一フック２４を取り外して使用することも可能である。
【００４２】
本発明に従う保持部材は、図６に示すような形態でも実施可能である。図６は、本発明に従う保持部材の第三実施形態（保持部材３１）、及び保持部材３１と前述の注出容器１０とを備える注出容器組立体Ｃを示している。
【００４３】
保持部材３１は、装着部２、２２と同様の形態になる装着部３２を備えている。また装着部３２には、第一軸受け部２ａ、２２ａと同様の形態になる軸受け部（第一軸受け部）３２ａが設けられている。
【００４４】
装着部３２には、板状をなし、上端部に第一軸受け部３２ａに適合する円柱状の軸部（第一軸部）３３ａを備え、装着部３２に対して１８０度の範囲で揺動することができる本体部３３が取り付けられている。
【００４５】
本体部３３には、大径と小径の２つの円状穴を重ねるようにして構成した取付け穴（被連結部）３３ａが設けられている。本実施形態の取付け穴３３ａは、上下方向に離間させて合計３つ設けられている。
【００４６】
取付け穴３３ａには、図６（ｃ）に示すように、半円状に湾曲した形状をなす第一フック３４を取り付けることができる。本実施形態では、第一フック３４の一端部に、抜け止め用の大径円板部を有する円柱状の連結部３４ａを設けていて、連結部３４ａを取付け穴３３ａに挿入して引っ掛けるようにしている。
【００４７】
また本体部３３の下端部には、前述の第二フック５、２５と同様に、弾性変形可能であって平面視での形状がＣ字状になる第二フック３５が設けられている。
【００４８】
このような保持部材３１を注出容器１０に取り付けた注出容器組立体Ｃにあっても、前述の注出容器組立体Ａ、Ｂと同様に、第一フック３４及び第二フック３５を利用して種々の場所に設置することができる。特に注出容器組立体Ｃにあっては、任意の取付け穴３３ａに第一フック３４を取り付けることができるため、例えば注出容器組立体Ｃをドアノブに吊下げ保持させた際のノズル１５の位置を、第一フック３４を取り付けた取付け穴３３ａの位置に応じて、ドアノブに対して上下に調整することができる。また、第一フック３４を取り外すことができるため、設置スペースが狭い場所でも使用することができる。
【００４９】
なお、これまで説明した実施形態では同一の注出容器を用いて説明したが、この注出容器に限定されるものではない。例えば前述のノズル１５に代えて、図７に示すノズル１６を取り付けたものを用いてもよい。ここでノズル１６は、ノズル１５と同様に、ステム１２ｈの中心軸線まわりに３６０度回動可能に保持されており、また注出口１６ａには、スピンエレメント１６ｂが設けられている。更にノズル１６の先端には、内容液の上流側から下流側に向かって拡がる拡径部１６ｃが設けられている。このようなノズル１６によれば、トイレットペーパーなどの対象物をノズル１６の先端に押し当てて内容液を注出させても、内容液は拡径部１６ｃで拡散しながら対象物に至るため、適度に広がった状態で内容液を塗布することができる。また、内容液が勢いよく注出されることがあっても、拡径部１６ｃで飛び散りを防ぐことができる。
【００５０】
本発明である注出容器用保持部材及び注出容器組立体は、これまでに述べた実施形態に限定されるものではなく、特許請求の範囲に従う範囲で種々の変更を加えたものも含むものである。例えば、前述の実施形態間で構成部材を相互に置き換えてもよい。また、軸受け部と軸部との組み合わせ方は前述の実施形態に限られるものではなく、例えば図５（ｃ）に示す、本体部２３に設けた第三軸受け部２３ｂを第一フック２４に設け、第一フック２４に設けた第三軸部２４ａを本体部２３に設けてもよい。また、注出容器はトリガー式のものに限られず、押下げヘッドの上下動によってポンプ機構を駆動させるものや、ポンプ機構を用いずに容器本体の胴部をスクイズして内容液を注出するものなど、様々なものが適用可能である。なお、本発明である注出容器用保持部材及び注出容器組立体は、使用される場所がトイレに限定されるものではない。例えば内容液として衣料用の消臭剤を収容し、これを部屋のドアノブに吊下げておくことですぐに使用できるようにするなど、様々な用途や場所での利用が可能である。
【符号の説明】
【００５１】
１、２１、３１：保持部材（注出容器用保持部材）
２、２２、３２：装着部
２ａ、２２ａ、３２ａ：第一軸受け部
３、２３、３３：本体部
３ａ、２３ａ、３３ａ：第一軸部
４、２４、３４：第一フック
５、２５、３５：第二フック
１０：注出容器
１１：容器本体
１１ａ：口部
１１ｂ：肩部
１１ｃ：胴部
１１ｄ：底部
１２：ポンプ機構
１２ａ：正倒立注出機構
１２ｂ：フランジ
１２ｃ：シリンダー
１２ｄ：スプリング
１２ｅ：第一ピストン
１２ｆ：第二ピストン
１２ｇ：ホルダー
１２ｈ：ステム
１２ｊ：ピン
１３：装着キャップ
１３ａ：内側キャップ
１３ｂ：外側キャップ
１３ｃ：段部
１３ｄ：第二軸受け部
１４：トリガー
１４ａ：操作部
１４ｂ：第二軸部
１４ｃ：凹部
１４ｄ：穴
１５、１６：ノズル
１５ａ、１６ａ：注出口
１５ｂ、１６ｂ：スピンエレメント
１６ｃ：拡径部
２３ｂ：第三軸受け部（球面軸受の一部）
２３ｃ：スリット
２３ｄ：スリット
２４ａ：第三軸部（球面軸受の一部）
３３ａ：取付け穴（被連結部）
３４ａ：連結部
Ａ、Ｂ、Ｃ：注出容器組立体
Ｄ：ドアノブ
Ｈ：手摺り
Ｍ：収容空間
Ｐ：パッキン
Ｐ１、Ｐ２：パイプ
【図１】
0006580423.tif 000002
【図２】
0006580423.tif 000003
【図３】
0006580423.tif 000004
【図４】
0006580423.tif 000005
【図５】
0006580423.tif 000006
【図６】
0006580423.tif 000007
【図７】
0006580423.tif 000008